(57)【要約】【課題】ボイコット効果を利用した血液分離に要する時間を短縮可能な血液分離器を提供する。【解決手段】血球沈降によって血液Ｂを血漿Ｐと血球Ｃに分離する血液分離器１０において、血液Ｂの導入口１１と、導入口１１から導入された血液Ｂが流入する第１の管路１２と、第１の管路１２を通過した血液Ｂが供給される血液被供給部１３と、第１の管路１２に一端が連結され他端に向かって下方に傾斜した接続領域２４を有し、全体が第１の管路１２から流入した血液Ｂで満たされる第２の管路１４とを備え、第１の管路１２は、接続領域２４に連通し、血液被供給部１３に向かう血液Ｂが下方に流れる下向き流域部２５を具備し、分離された血漿Ｐが、接続領域２４に溜まる。【選択図】図２
2018063137.tif 000002
【特許請求の範囲】
【請求項１】
血球沈降によって血液を血漿と血球に分離する血液分離器において、
血液の導入口と、
前記導入口から導入された血液が流入する第１の管路と、
前記第１の管路を通過した血液が供給される血液被供給部と、
前記第１の管路に一端が連結され他端に向かって下方に傾斜した接続領域を有し、全体が該第１の管路から流入した血液で満たされる第２の管路とを備え、
前記第１の管路は、前記接続領域に連通し、前記血液被供給部に向かう血液が下方に流れる下向き流域部を具備し、分離された血漿が、前記接続領域に溜まることを特徴とする血液分離器。
【請求項２】
請求項１に記載の血液分離器において、前記第１の管路の下流端は、該第１の管路の前記第２の管路への連結箇所より低い位置に在って、前記血液被供給部に連結され、前記血液被供給部は、親水性を有し、開口して形成され、前記第１の管路からの血液を蓄え、該第１の管路の前記第２の管路への連結箇所より下流側の容積と該血液被供給部の容積の合計は、前記第２の管路の容積より大きいことを特徴とする血液分離器。
【請求項３】
請求項１又は２に記載の血液分離器において、前記第１の管路は、上流端が前記導入口に連結されていることを特徴とする血液分離器。
【請求項４】
請求項１〜３のいずれか１に記載の血液分離器において、前記第１の管路は直線状で鉛直に配されていることを特徴とする血液分離器。
【請求項５】
請求項１〜４のいずれか１に記載の血液分離器において、前記第２の管路内に在った気体を排気する排気口が、前記第２の管路の下流端に連結され、該排気口は疎水性を有することを特徴とする血液分離器。
【請求項６】
請求項１〜５のいずれか１に記載の血液分離器において、前記第１、第２の管路は親水性を有し、前記導入口に導入された血液は、毛細管力によって、前記第１、第２の管路を流れることを特徴とする血液分離器。
【発明の詳細な説明】
【技術分野】
【０００１】
本発明は、血液を血漿と血球に分離する血液分離器に関する。
【背景技術】
【０００２】
通常、血液診断のためには数ｍＬ以上の採血を要するため採血対象者の身体的負担が大きい。また、血液診断に大型で高価な分析装置を必要とする場合、そのような装置を持てない小規模な医療機関においては、分析を専門の臨床検査機関に委託することとなり、診断結果を得るのに数日の期間を要する。この状況を解消するために、血液診断機能を小型のデバイス内に構築しようとする研究開発が盛んに行われている。これが実現すれば、採血量の低減や診断結果を得るまでの時間短縮が可能となり、ベッドサイド診断や在宅診断を含めたポイントオブケア診断への応用が可能となる。
【０００３】
ところで、血液診断の対象が血漿中のタンパク質である場合、採血した血液を血漿と血球に分離する血液分離が必要となる。小型デバイスで血液分離を行えれば、血液診断機能を小型のデバイス内に構築する技術に適用することができる。
特許文献１、２には、小型デバイスを遠心機に装着し、遠心力を利用して血液を分離する方法が記載されている。この方法は、使用する遠心機が大型である点、及び、遠心機を所持することを要する点で課題がある。
【０００４】
遠心機を用いることなく血液分離を行う具体例として、特許文献３には、フィルタを利用して血液を分離する方法が記載されている。この方法では、血球への物理的負荷による溶血やフィルタの目詰まり等が問題となる。遠心機及びフィルタを用いない方法として、誘電泳動の利用が考えられるが、血液の希釈が必要であり、更に、電圧印加による血漿成分への影響も懸念される。
【０００５】
より簡便な血液の分離方法として、重力による血球沈降を利用した方法がある。血液を充填した流路を鉛直に配する場合に比べ、同流路を鉛直に対し斜めに配した場合、血球沈降は短時間で完了する。これは、流路を鉛直に対し斜めに配した場合、血球の沈降と血漿の上昇が干渉しなくなるためであり、この血球沈降促進効果はボイコット効果と呼ばれる。特許文献４、５には、ボイコット効果を利用して血液を分離する具体例が記載されている。
【先行技術文献】
【特許文献】
【０００６】
【特許文献１】特開２００３−８３９５８号公報
【特許文献２】特開２００６−５２９５０号公報
【特許文献３】特開２００３−２７０２３９号公報
【特許文献４】特開２００８−８２８９６号公報
【特許文献５】特開２００８−８２８９７号公報
【発明の概要】
【発明が解決しようとする課題】
【０００７】
しかしながら、特許文献４、５に記載の例では、ボイコット効果のみによって血液を分離しようとすることから、血液の分離に数分以上の時間を要するという課題がある。血液の分離に長い時間を要すれば、緊急性の高い医療診断への適用ができない。血液分離の時間を短縮できれば、診断効率が高まり、結果として、診断時間及び診断コストの削減が可能となる。
本発明は、かかる事情に鑑みてなされるもので、ボイコット効果を利用した血液分離に要する時間を短縮可能な血液分離器を提供することを目的とする。
【課題を解決するための手段】
【０００８】
前記目的に沿う本発明に係る血液分離器は、血球沈降によって血液を血漿と血球に分離する血液分離器において、血液の導入口と、前記導入口から導入された血液が流入する第１の管路と、前記第１の管路を通過した血液が供給される血液被供給部と、前記第１の管路に一端が連結され他端に向かって下方に傾斜した接続領域を有し、全体が該第１の管路から流入した血液で満たされる第２の管路とを備え、前記第１の管路は、前記接続領域に連通し、前記血液被供給部に向かう血液が下方に流れる下向き流域部を具備し、分離された血漿が、前記接続領域に溜まる。
【０００９】
前記目的に沿う本発明に係る血液分離器において、前記第１の管路の下流端は、該第１の管路の前記第２の管路への連結箇所より低い位置に在って、前記血液被供給部に連結され、前記血液被供給部は、親水性を有し、開口して形成され、前記第１の管路からの血液を蓄え、該第１の管路の前記第２の管路への連結箇所より下流側の容積と該血液被供給部の容積の合計は、前記第２の管路の容積より大きいことが好ましい。
【００１０】
前記目的に沿う本発明に係る血液分離器において、前記第１の管路は、上流端が前記導入口に連結されているのが好ましい。
【００１１】
前記目的に沿う本発明に係る血液分離器において、前記第１の管路は直線状で鉛直に配されているのが好ましい。
【００１２】
前記目的に沿う本発明に係る血液分離器において、前記第２の管路内に在った気体を排気する排気口が、前記第２の管路の下流端に連結され、該排気口は疎水性を有するのが好ましい。
【００１３】
前記目的に沿う本発明に係る血液分離器において、前記第１、第２の管路は親水性を有し、前記導入口に導入された血液は、毛細管力によって、前記第１、第２の管路を流れるのが好ましい。
【発明の効果】
【００１４】
本発明に係る血液分離器は、第２の管路が、第１の管路に一端が連結され他端に向かって下方に傾斜した接続領域を有し、第１の管路が、接続領域に連通し、血液被供給部に向かう血液が下方に流れる下向き流域部を具備するので、下向き流域部における下方への血液の流れによって接続領域での血球沈降が促進され、ボイコット効果を利用した血液分離に要する時間を短縮可能である。
【図面の簡単な説明】
【００１５】
【図１】（Ａ）、（Ｂ）はそれぞれ、本発明の第１の実施の形態に係る血液分離器の正面図及び平面図である。
【図２】（Ａ）、（Ｂ）、（Ｃ）はそれぞれ、同血液分離器内の血液の様子を示す説明図である。
【図３】（Ａ）〜（Ｇ）はそれぞれ、本発明の第１の実施の形態に係る血液分離器の製造工程を示す説明図である。
【図４】（Ａ）、（Ｂ）はそれぞれ、本発明の第２の実施の形態に係る血液分離器の正面図及び同血液分離器内の血液の様子を示す説明図である。
【図５】比較例に係る血液分離器の正面図である。
【図６】実施例に係る血液分離器の血液の血漿と血球の分離の時間の経過に伴う様子を撮像した写真である。
【図７】分離された血漿が溜まった領域の時間の経過に伴う拡大を計測した実験結果である。
【発明を実施するための形態】
【００１６】
続いて、添付した図面を参照しつつ、本発明を具体化した実施の形態につき説明し、本発明の理解に供する。
図１（Ａ）、（Ｂ）、図２（Ａ）、（Ｂ）、（Ｃ）に示すように、本発明の第１の実施の形態に係る血液分離器１０は、血液Ｂの導入口１１と、導入口１１から導入された血液Ｂが流入する管路１２（第１の管路）と、管路１２を通過した血液Ｂが供給される血液被供給部１３と、全体が管路１２から流入した血液Ｂで満たされる管路１４（第２の管路）とを備え、血球沈降によって血液Ｂを血漿Ｐと血球Ｃに分離する。以下、詳細に説明する。
【００１７】
血液分離器１０は、図１（Ａ）、（Ｂ）に示すように、透光性を有する板材１５と、板材１５の背面側に正面側が密着して固定された透光性を有する板材１６を備えている。
板材１５には、直線状の溝１７、１８、１９が背面側に形成され、板材１５の正面側から背面側を貫通する貫通孔２０、２１、２２が設けられている。
溝１７、１９は、一端（上端）が連結され、溝１７、１９全体で、中央が屈曲して上方に突出した逆Ｖ字状の溝を構成している。溝１８は、一端（上端）が溝１７、１９によって構成される逆Ｖ字状の溝の屈曲部に連結され、一端の真下にある下端に向かって直線状に形成されている。
【００１８】
貫通孔２０、２１、２２は、それぞれ溝１７、１８、１９の他端（下端）にそれぞれ連結されている。
板材１６は、溝１７の板材１５の背面側を塞いで管路１４を形成し、溝１８、１９の板材１５の背面側を塞いで管路１２を形成し、貫通孔２０、２１、２２の板材１５の背面側を塞いで、空気の排気口２３、血液被供給部１３及び血液の導入口１１をそれぞれ形成している。
【００１９】
血液被供給部１３、導入口１１及び排気口２３の径及び深さ（板材１５の厚み）はそれぞれ等しい。本実施の形態では、血液被供給部１３、導入口１１及び排気口２３の径が１〜３ｍｍであり、深さが１〜３ｍｍである。
管路１２、１４の幅は等しく、管路１２、１４の深さは等しい。本実施の形態では、管路１２、１４の幅が１００〜４００μｍであり、管路１２、１４の深さが５０〜３００μｍである。
【００２０】
板材１５、１６は、疎水性を有するＣＯＣ（Ｃｙｃｌｏ  ｏｌｅｆｉｎ  ｃｏｐｏｌｙｍｅｒ）を素材にしたものであり、管路１２、１４、血液被供給部１３及び導入口１１に該当する領域は、親水化処理（本実施の形態では、ホスホリルコリンを修飾する処理）がなされている。よって、管路１２、１４、血液被供給部１３及び導入口１１は親水性を有し、排気口２３は疎水性を有している。
【００２１】
管路１２は、一端（上流端）及び他端（下流端）が導入口１１及び血液被供給部１３にそれぞれ連結されている。管路１２は、一端から管路１２が管路１４に接続された箇所（以下、「管路１２の管路１４への連結箇所」とも言う）までが直線状で、管路１２の管路１４への連結箇所が管路１２の一端の斜め上側に配され、管路１２の管路１４への連結箇所から他端までが直線状で鉛直に配されている。即ち、管路１２は、管路１２が管路１４に接続された箇所で屈曲している。
従って、管路１２は、血液被供給部１３に連結された他端が、管路１２の管路１４への連結箇所より低い位置に在る。
【００２２】
血液被供給部１３は、板材１５の正面側が開口して形成され、空気を排気するように設計されている。管路１４は、直線状であり、管路１２に連結された一端（上流端）が、排気口２３に連結された他端（下流端）の斜め上側に位置している。よって、管路１４は、管路１２に一端（上流端）が連結され他端（下流端）に向かって斜め下に（即ち、下方に）傾斜した接続領域２４を有している。排気口２３は、管路１４に連結されていることから、管路１４内の空気を排気可能である。
【００２３】
導入口１１に血液Ｂが導入されると、導入口１１に導入された血液Ｂは、図２（Ａ）に示すように、管路１２の一端から、管路１２の管路１４への連結箇所に向かって流れ、管路１２の管路１４への連結箇所に達した後、管路１４へ流れる血液Ｂと管路１２を血液被供給部１３に向かって流れる血液Ｂとに別れる。この際、管路１４内に在った空気（即ち、気体）は主として排気口２３から排気され、管路１２内に在った空気は、排気口２３及び血液被供給部１３から排気される。
【００２４】
管路１２の管路１４への連結箇所まで血液Ｂが達した後、管路１２の接続領域２４の近傍領域（管路１２の接続領域２４に接する領域）には、管路１２から管路１４に向かう血液Ｂの流れと、血液被供給部１３に向かって下方に進む血液Ｂの流れが生じる。
以下、管路１２の接続領域２４の近傍領域で、血液被供給部１３に向かって下方に進む血液Ｂの流れが生じる管路１２の領域を、下向き流域部２５とする。従って、管路１２は、接続領域２４に連通し、血液被供給部１３に向かう血液Ｂが直下（下方の一例、なお、ここで言う「下方」は斜め下を含む）に流れる下向き流域部２５を具備することとなる。即ち、接続領域２４と下向き流域部２５は、血液Ｂが流通するように連結されている。
【００２５】
血液Ｂは、毛細管力によって、管路１２、１４を流れる。管路１２を流れて管路１２の下流端に到達した血液Ｂは、血液被供給部１３に流入して、血液被供給部１３内に蓄えられる。血液Ｂは毛細管力によって管路１２内に保持されるため、血液Ｂが導入口１１や血液被供給部１３から流れ出ることはない。
排気口２３は疎水性であることから、管路１４内の血液Ｂは排気口２３に実質的に流入しない。そのため、管路１４を流れる血液Ｂが管路１４の下端に達し、管路１４内全体が血液Ｂで満たされた状態になった後、図２（Ｂ）に示すように、管路１２から管路１４への血液Ｂの流入は実質的に無くなる（下向き流域部２５で、管路１２から管路１４に向かう血液Ｂの流れは実施的に無くなる）。
【００２６】
本実施の形態では、管路１２の管路１４への連結箇所より下流側の容積と血液被供給部１３の容積の合計が管路１４の容積より大きい。従って、管路１４内全体が血液Ｂで満たされた時点で、少なくとも、血液被供給部１３には、血液Ｂを蓄えられる空間が確保されている。
よって、管路１４内全体が血液Ｂで満たされた後、下向き流域部２５では実質的に血液被供給部１３に向かう血液Ｂの流れのみが生じた状態となる。下向き流域部２５で血液被供給部１３に向かう血液Ｂの流れは、血液被供給部１３が血液Ｂで満たされるまで継続する。
【００２７】
接続領域２４は下方に向かって傾斜しているため、血液Ｂで満たされた管路１４内では、接続領域２４で、図２（Ｂ）、（Ｃ）に示すように、ボイコット効果による血液Ｂの血漿Ｐと血球Ｃへの分離が生じる。しかも、接続領域２４では、下向き流域部２５の直下に向かう血液Ｂの流れによって、血球Ｃの沈降が促進されるので、本実施の形態では、下向き流域部２５に、血液被供給部１３に向かって直下に進む血液Ｂの流れが存在しない場合に比べ、接続領域２４で血液Ｂの血漿Ｐと血球Ｃへの分離が迅速に行われる。そして、分離された血漿Ｐが、接続領域２４に溜まる。
【００２８】
本実施の形態では、管路１４から排気口２３への血液Ｂの流入が実質的に無いことから、仮に、排気口２３に血液Ｂが流入する場合に比べ、導入口１１に血液Ｂを導入してから管路１４内の血液Ｂの流れが止まるまでの時間が短い。管路１４内で血液Ｂの流れが止まることで、血球Ｃの沈降が乱れることなく安定的に進行するので、本実施の形態では、血球Ｃの沈降が安定的に進行するまでの時間を短縮可能である。
【００２９】
接続領域２４において、分離された血漿Ｐが蓄えられた部分の体積が所定値以上になった後、接続領域２４に対して光が当てられ、接続領域２４に溜まった血漿Ｐを対象に吸光光度法による計測が行われる。血漿Ｐを対象にした吸光光度法によって、例えば、ＡＳＴ（ＧＯＴ）、ＡＬＴ（ＧＰＴ）、γ−ＧＴ（γ−ＧＴＰ）、中性脂肪、ＨＤＬコレステロール、ＬＤＬコレステロール、ビリルビン、アルブミン、グルコース、ＨｂＡ１ｃ、尿酸の値を求めることができる。
なお、分離された血漿Ｐを対象とした計測は、吸光光度法によるものに限らず、例えば、接続領域２４に予め電極を設けておき、接続領域２４に溜まった血漿Ｐを対象とした電気化学的計測を行うようにしてもよい。
【００３０】
なお、血液分離器１０はナノインプリント装置を用いて製造することができる。以下、図３（Ａ）〜（Ｇ）を参酌して、血液分離器１０の製造方法について説明する。
まず、プラズマＣＶＤ（Ｃｈｅｍｉｃａｌ  ｖａｐｏｒ  ｄｅｐｏｓｉｔｉｏｎ）によって、図３（Ａ）に示すように、Ｓｉ基板２６の上面及び下面に膜厚１μｍのＳｉＮ膜２７、２７ａをそれぞれ設け、ＳｉＮ膜２７にレジスト２８を塗布し、図３（Ｂ）に示すように、所定のパターンが描かれたマスク２９をＳｉ基板２６の上方に配した状態で上方からＵＶ露光し、現像する。
【００３１】
次に、ＳｉＮ膜２７をエッチングして、図３（Ｃ）に示すように、ＳｉＮ膜２７の所定領域のみにＳｉＮ膜２７及びレジスト２８の膜片３０を残すようにし、エッチング処理によって、図３（Ｄ）に示すように、Ｓｉ基板２６の膜片３０が上方に設けられていない領域を溶解し、Ｓｉ基板２６の膜片３０のあった領域に突出域３１を設けて、Ｓｉ基板２６を基に鋳型３２を成形する。なお、突出域３１は溝１７等に対応するものである。
【００３２】
そして、ナノインプリント装置を用いて、図３（Ｅ）、（Ｆ）に示すように、鋳型３２を基にＣＯＣ基板３３の背面側に溝１７等を転写し、図３（Ｇ）に示すように、ＣＯＣ基板３３の背面側及び未加工のＣＯＣ基板３４の正面側にＶＵＶ（Ｖａｃｕｕｍ  ｕｌｔｒａ  ｖｉｏｌｅｔ）光の照射を行った後、ＣＯＣ基板３３の背面側にＣＯＣ基板３４の正面側を密着させた状態で、加熱、加圧して、ＣＯＣ基板３３の背面側とＣＯＣ基板３４の正面側を共有結合により接合し、所定箇所への親水化処理を行うことで、管路１４等を備えた血液分離器１０を製造する。
【００３３】
上述したように、血液分離器１０は、管路１２（即ち、第１の管路）が屈曲しているが、これに限定されない。以下、図４（Ａ）、（Ｂ）を参照して、第１の管路が直線状の血液分離器４０について説明する。なお、血液分離器１０と同様の構成については、血液分離器１０と同じ符号を付して詳しい説明を省略する。
【００３４】
本発明の第２の実施の形態に係る血液分離器４０は、図４（Ａ）に示すように、背面側に溝等が形成された板材４１の背面側と板材４２の正面側を密着固定して形成されたもので、導入口１１と、導入口１１から導入された血液Ｂが流入する管路４３（第１の管路）と、血液被供給部１３と、管路４３に連結されて、全体が管路４３から流入した血液Ｂで満たされる管路４４（第２の管路）とを備えている。
【００３５】
管路４３は、直線状で鉛直に配され、上端（上流端）及び下端（下流端）がそれぞれ導入口１１及び血液被供給部１３に連結されている。管路４４は、直線状で管路４３に対して傾いて配されており、上端（上流端）が管路４３の長手方向中央に連結され、下端（下流端）が排気口２３に連結されている。従って、管路４３の下流端は、管路４３、４４の連結位置より低い位置に配され、管路４４には、一端が管路４３に連結され他端に向かって下方に傾斜した接続領域４５が存在し、管路４３には、接続領域４５の近傍領域に、血液被供給部１３に向かう血液Ｂが直下に流れる下向き流域部４６が設けられていることとなる。
【００３６】
血液分離器４０は、血液分離器１０と同様に、管路４３の管路４３、４４の連結位置より下流側の容積と血液被供給部１３の容積の合計が、管路４４の容積より大きい。そのため、導入口１１から導入されて管路４３を流れる血液Ｂが管路４４の下端に達し、図４（Ｂ）に示すように、管路４４内全体が血液Ｂで満たされた後、管路４３から管路４４への血液Ｂの流入は実質的に停止し、かつ、管路４３から血液被供給部１３への血液Ｂの流入は継続した状態となる。
【００３７】
この状態が維持されることによって、管路４４におけるボイコット効果と、下向き流域部４６における直下に進む血液Ｂの流れの影響とにより、接続領域４５では、血球Ｃの沈降が生じ、その結果として、分離された血漿Ｐが接続領域４５に溜まる。
管路４４（管路１４）に血液Ｂが満たされた状態においては、血液分離器４０は、管路４３の上流端から下流端にかけて血液Ｂが実質的に真下のみに進むのに対し、血液分離器１０は、血液Ｂが、管路１２の上流端から管路１２、１４の連結位置に向かって斜め上に進んだ後、進行方向を変えて、直下に進む。従って、血液分離器４０の下向き流域部４６は、血液分離器１０の下向き流域部２５に比べて血液Ｂの流速が大きく、血液分離器４０の接続領域４５は、血液分離器１０の接続領域２４と比較して血球Ｃの沈降を促進することができる。
【実施例】
【００３８】
次に、本発明の作用効果を確認するために行った実験について説明する。
実験では、図１（Ａ）、（Ｂ）に示す血液分離器１０（実施例）と図５に示す血液分離器５０（比較例）を用いた。
血液分離器５０は、図５に示すように、２枚の板材５１、５２を密着固定して形成され、血液の導入口５３と、導入口５３に下端が連結され、鉛直に配された管路５４と、管路５４の上端が上方に突出して屈曲した部分に連結された逆Ｖ字状の管路５５と、管路５５の両端にそれぞれ連結された排気口５６、５７を備えている。
【００３９】
導入口５３、管路５４、５５は親水性であり、排気口５６、５７は疎水性である。血液分離器５０の管路５４、５５全体で構成される流路は、血液分離器１０の管路１２、１４全体で構成される流路と長さ、断面積、配置が全て等しい。
血液分離器５０は、導入口５３に導入された血液が、管路５４を流れて管路５５に達した後、管路５５を排気口５６、５７に向かって流れる。管路５４、５５全体に血液が満たされた状態で、管路５５では、ボイコット効果による血球の沈降によって、管路５５の屈曲部の近傍に血球から分離された血漿が溜まる。
【００４０】
血液分離器１０については、管路１４全体に血液が充填された時間を０秒とし、血球から分離された血漿が接続領域２４に溜まる領域について、時間の経過に伴い拡大する様子を観察した。具体的には、該当領域の図６に「Ｓｅｄｉｍｅｎｔａｔｉｏｎ  ｄｉｓｔａｎｃｅ（沈降距離）」と記した方向の長さを１０秒ごとに計測した（図６は、該当領域の０秒時、３０秒時、６０秒時、９０秒時の様子をそれぞれ撮像した画像（写真）である）。
【００４１】
血液分離器５０については、管路５４、５５全体に血液が充填された時間を０秒とし、血球から分離された血漿が管路５５の屈曲部の近傍に溜まる領域を対象に、その領域の鉛直方向の長さを１０秒ごとに計測した。
血液分離器１０、５０の計測結果を、図７のグラフに、「実施例」及び「比較例」として、それぞれ示す。計測結果より、血液分離器１０は、血液分離器５０に比べ、血球から分離された血漿の領域が速く拡大することが確認できた。
【００４２】
以上、本発明の実施の形態を説明したが、本発明は、上記した形態に限定されるものでなく、要旨を逸脱しない条件の変更等は全て本発明の適用範囲である。
例えば、第１の管路の下向き流域部は、血液被供給部に向かう血液が、直下に流れる代わりに、斜め下に流れてもよい。
また、血液被供給部は、第２の管路全体に血液が満たされた後、血液が第１の管路を血液被供給部に向かって流れるようにするものであればよく、必ずしも血液を蓄えるものである必要はない。例えば、血液被供給部は、血液を吸収する吸収体を第１の管路の下流端に配したものや、ポンプ等の駆動源を有して、第１の管路の下流端から血液を吸い取るものであってもよい。
【００４３】
そして、第２の管路は、一端が第１の管路に連結され他端に向かって下方に傾斜した接続領域を有していればよく、全体が直線状である必要はない。
更に、毛細管力によって第１、第２の管路に血液を充填させる必要はなく、ポンプの駆動源を用いて、第１、第２の管路に血液を充填させるようにしてもよい。駆動源により第１、第２の管路に血液を充填させる場合、第１、第２の管路は親水性を有する必要はない。
【符号の説明】
【００４４】
１０：血液分離器、１１：導入口、１２：管路、１３：血液被供給部、１４：管路、１５、１６：板材、１７、１８、１９：溝、２０、２１、２２：貫通孔、２３：排気口、２４：接続領域、２５：下向き流域部、２６：Ｓｉ基板、２７、２７ａ：ＳｉＮ膜、２８：レジスト、２９：マスク、３０：膜片、３１：突出域、３２：鋳型、３３、３４：ＣＯＣ基板、４０：血液分離器、４１、４２：板材、４３、４４：管路、４５：接続領域、４６：下向き流域部、５０：血液分離器、５１、５２：板材、５３：導入口、５４、５５：管路、５６、５７：排気口、Ｂ：血液、Ｃ：血球、Ｐ：血漿
【図１】
2018063137.tif 000003
【図２】
2018063137.tif 000004
【図３】
2018063137.tif 000005
【図４】
2018063137.tif 000006
【図５】
2018063137.tif 000007
【図６】
2018063137.tif 000008
【図７】
2018063137.tif 000009